(57)【特許請求の範囲】
【請求項１】
引戸により開閉される出入口構成用枠体に設けられる鎌片を係止する引戸錠用係止装置であって、
前記鎌片と対向する前記出入口構成用枠体の側端面から内方へ延在して装着されるケースと、
該ケースの前面に取付けられ前記鎌片が挿通する第１窓部と、上下位置調整ビス頭と奥行き幅調整ビス頭が臨む第２窓部とを有するフロント板と、
前記フロント板の第２窓部の裏面に固定又は上下移動可能に支持される上下位置調整ビス穴と奥行き幅調整ビス操作用の開口を備えるシャッター板と、
前記第１窓部に上下移動自在に嵌合する係合受部保護板と、上下位置調整ビス穴と、奥行き幅調整ビス穴とを備え、該上下位置調整ビス穴は、該係合受部保護板と該奥行き幅調整ビス穴の間に位置する中間枠体と、
前記係合受部保護板の後側に位置し前記鎌片が係止する係合受部と、上下位置調整ビスのナット兼軸部材が挿通する第１挿通穴と、奥行き幅調整ビスのナット兼軸部材が挿通する第２挿通穴とを備え、該第１挿通穴は、該係合受部と該第２挿通穴の間に位置するシーソー部材と、
を有し、前記上下位置調整ビスは前記第１挿通穴に挿通するナット兼軸部材に、前記奥行き幅調整ビスは前記第２挿通穴に挿通するナット兼軸部材にそれぞれ螺合により留められることを特徴とする引戸錠用係止装置。
【請求項２】
前記シャッター板、前記中間枠体及び前記シーソー部材は、前記上下位置調整ビスをドライバーで締め付けることにより、前記フロント板に一体的に固定され、前記上下位置調整ビスをドライバーで緩めることにより、前記フロント板に対して、一体的に上下移動自在であることを特徴とする請求項１記載の引戸錠用係止装置。
【請求項３】
前記シーソー部材は、前記奥行き幅調整ビスをドライバーで操作することにより、前記第１挿通穴に挿通するナット兼軸部材を中心軸として揺動自在に設置され、該揺動運動によりシーソー部材の係合受部と前記中間枠体の係合受部保護板との間隔を調整することを特徴とする請求項１記載の引戸錠用係止装置。
【発明の詳細な説明】
【０００１】
【発明の属する技術分野】
本発明は、引戸などの扉の施錠に適用される鎌片を係止する引戸錠用係止装置に関するものである。
【０００２】
【従来の技術】
引戸用の鎌錠はフック錠の鎌片が出没自在に内蔵された錠本体と、この錠本体の鎌片に対応する係合受部が設けられた係止装置とを有するもので、通常、錠本体は引戸に設けられ、係止装置は枠体に設けられる。鎌片と係止装置は取付けが設計通りであれば、ガタが生じることなく確実な係合ができる。しかしながら、実際の施行においては、鎌片と係止装置の取付け位置が微妙にずれて、鎌片が係止装置に係止できないことや、係止の遊びが大きすぎてガタが生じることがある。鎌片が係止装置に係止できない場合は錠としての機能を発揮できないし、係止の遊びが大きすぎる場合は、枠体と引戸と間に隙間が生じて隙間風が入るなどの問題が起きる。
【０００３】
従来、これらの係止不具合の問題を解決する引戸錠用係止装置としては、例えば特開２０００−２０２６号公報に示すものが知られている。この引戸錠用係止装置は、鎌片を係止する屈曲形状の係止具を取付箱又は面板に表面又は裏面のいずれを前面にしても取付けられるようにし、その両方の場合で、面板の前面から受部の後面までの寸法を異ならせるようにしたもので、鎌片を係止する前後の位置を２通りに変更するものである。
【０００４】
【発明が解決しようとする課題】
しかしながら、上記の引戸錠用係止装置は、面板の前面から受部の後面までの寸法の調整は２通りしかなく、微妙な調整ができない。しかも、調整のたびに屈曲形状の係止具を取り外して、表裏の向きを変え再設置する必要があり、調整が面倒であるという問題がある。このような方法以外に、面板の前面から受部の後面までの寸法の調整を係止具に螺合するねじの調整具合で行う方法がある。この場合、ドライバなどでねじを締める方向に回せば、面板の前面から受部の後面までの寸法が縮まり、逆にねじを外す方向に回せば、面板の前面から受部の後面までの寸法が広まり微妙な調整が可能である。そして、このような引戸錠用係止装置では係止具の固定を安定させるため、バネの付勢力で係止具をねじに固定させる方法が利用されているが、バネの付勢力で係止具を付勢する箇所は係止具の一部であり、係止具全体を固定するには不十分である。このため、ガタが発生する問題は依然として解決できないという問題がある。
【０００５】
従って、本発明の目的は、スプリング部材を使用しなくとも、ガタを生じることがなく、上下位置及びフロント板の前面から係合受部の後面までの寸法（奥行き幅）の微調整が簡易な操作で可能な引戸錠用係止装置を提供することにある。
【０００６】
【課題を解決するための手段】
すなわち、本発明は上記課題を解決するものであって、請求項１は、引戸により開閉される出入口構成用枠体に設けられる鎌片を係止する引戸錠用係止装置であって、前記鎌片と対向する前記出入口構成用枠体の側端面から内方へ延在して装着されるケースと、該ケースの前面に取付けられ前記鎌片が挿通する第１窓部と、上下位置調整ビス頭と奥行き幅調整ビス頭が臨む第２窓部とを有するフロント板と、前記フロント板の第２窓部の裏面に固定又は上下移動可能に支持される上下位置調整ビス穴と奥行き幅調整ビス操作用の開口を備えるシャッター板と、前記第１窓部に上下移動自在に嵌合する係合受部保護板と、上下位置調整ビス穴と、奥行き幅調整ビス穴とを備え、該上下位置調整ビス穴は、該係合受部保護板と該奥行き幅調整ビス穴の間に位置する中間枠体と、前記係合受部保護板の後側に位置し前記鎌片が係止する係合受部と、上下位置調整ビスのナット兼軸部材が挿通する第１挿通穴と、奥行き幅調整ビスのナット兼軸部材が挿通する第２挿通穴とを備え、該第１挿通穴は、該係合受部と該第２挿通穴の間に位置するシーソー部材と、を有し、前記上下位置調整ビスは前記第１挿通穴に挿通するナット兼軸部材に、前記奥行き幅調整ビスは前記第２挿通穴に挿通するナット兼軸部材にそれぞれ螺合により留められる引戸錠用係止装置を提供するものである。また、請求項２は、前記シャッター板、前記中間枠体及び前記シーソー部材は、前記上下位置調整ビスをドライバーで締め付けることにより、前記フロント板に一体的に固定され、前記上下位置調整ビスをドライバーで緩めることにより、前記フロント板に対して、一体的に上下移動自在である引戸錠用係止装置を提供するものである。また、請求項３は、前記シーソー部材は、前記奥行き幅調整ビスをドライバーで操作することにより、前記第１挿通穴に挿通するナット兼軸部材を中心軸として揺動自在に設置され、該揺動運動によりシーソー部材の係合受部と前記中間枠体の係合受部保護板との間隔を調整する引戸錠用係止装置を提供するものである。
【０００７】
かかる構成を採ることにより、鎌片と係止装置の取付け後、上下方向の位置がずれて鎌片が係止装置に係止できなかった場合、ドライバー工具で上下位置調整ビスを緩め、シャッター板、中間枠体及びシーソー部材をフロント板に対して、一体的に上下移動させ、鎌片が係止装置に係止できる位置で上下位置調整ビスを固定すれば、シャッター板、中間枠体及びシーソー部材はフロント板にしっかりと固定される。一方、鎌片と係止装置の取付け後、鎌片と係止装置の前後の遊びが大きすぎてガタが生じることがあった場合、ドライバー工具で奥行き幅調整ビスを締めつければ、シーソー部材が第１挿通穴に挿通するナット兼軸部材を中心軸として揺動運動するため、係合受部と前記係合受部保護板との間隔が広がる。従って、鎌片と係止装置の前後の遊びが無くなる位置で係合受部を固定すればガタの問題は解消する。このように、本発明の引戸錠用係止装置によれば、スプリング部材を使用しなくともガタを生じることがなく、上下位置及び奥行き幅の微調整が可能となる。
【０００８】
【発明の実施の形態】
以下、本発明にかかる引戸錠用係止装置の実施の形態について、図１〜図７を参照して説明する。図１は本発明の実施の形態における引戸錠用係止装置の斜視図、図２は本発明の実施の形態における引戸錠用係止装置の分解斜視図、図３は鎌片が係止する係合受部が最下位置で、奥行き幅が最小である引戸錠用係止装置の断面図、図４は図３の係止装置に鎌片が係合した状態で、ガタが生じる状態を示す断面図、図５は鎌片が係止する係合受部が最下位置で、奥行き幅を最大としてガタが生じない状態を示す断面図、図６は鎌片が係止する係合受部が最上位置で、奥行き幅が最小である引戸錠用係止装置の断面図、図７は鎌片が係止する係合受部が最上位置で、奥行き幅が最大である引戸錠用係止装置の断面図をそれぞれ示す。
【０００９】
図４及び図５中、１４はキッチン等の出入口を構成する枠体、１３は出入口を開閉する引き戸式の扉である。上記引戸１３の側端面１３ａと対向する側面には、凹部１ａが形成されており、この凹部１ａ内には引戸錠用係止装置５０のケース１が装着され、このケース１はフロント板２を介して木ねじ２３ａにより枠体１４に固定されている。また、引戸錠用係止装置５０と相対向する扉１３の側端面個所には鎌片１０ａの出没を行う錠本体１０が装着されている。
【００１０】
引戸錠用係止装置５０は図２に示すように、係止装置機構を収納するケース１、フロント板２、シャッター板３、中間枠体４、シーソー部材５等を備える。ケース１は、鎌片１０ａと相対向する枠体１４の個所にその側端面１４ａから横方向に形成した長方形の穴１ａ内に内方へ延在して装着できるように成形された扁平な箱型を呈している。このケース１は、前端面が開口された本体部１６と、この本体部１６の上下両側に付設される鍔状の前面板１１から構成され、前面板１１には、木ねじ２３ａが挿通するねじ穴１２が形成されている。ケース内の幅寸法は中間枠体４が隙間無く嵌められる程度であり、長さは中間枠体４の長さに上下位置が調整できる最大寸法を加算した寸法である。なお、図２の引戸錠用係止装置５０を枠体１４に設置した場合、図中の左側が上側となり、右側が下側となる。
【００１１】
フロント板２は、ケース１の前面に取付けられる板状物であり、鎌片１０ａが挿通する第１窓部２１と、上下位置調整ビス頭６１と奥行き幅調整ビス頭７１が臨む第２窓部２２とを有する。この第１窓部２１は、フロント板２の中央から上方にかけて形成され、幅狭の第１矩形状穴２１ａと、該第１矩形状穴２１ａと連接する幅広の第２矩形状穴２１ｂを有する。第２矩形状穴２１ｂは中間枠体４の係合受部保護板４１ａの上下移動を案内するものである。従って、第２矩形状穴２１ｂの幅寸法は、係合受部保護板４１ａの幅よりやや広めであり、長手方向の寸法は上下に移動調整可能な寸法かそれよりやや長めに設定される。第２窓部２２はドライバー工具の先端部が挿通される矩形状の穴であり、フロント板２の中央から下方にかけて形成される。第２窓部２２の裏側にはシャッター板３をスライド可能に案内する断面がＬ字状の背板２２ａがその両側に形成されている。
【００１２】
シャッター板３はフロント板２の第２窓部２２の裏面に固定又は上下移動可能に支持される略矩形状物で、その上方両側にはシャッター板３をフロント板の第２窓部の裏側に挿入した場合、背板２２ａの上端２２ｂと当接することにより下方への移動を規制する突起物３３が形成されている。また、本体部３２には上下位置調整ビス穴３４と奥行き幅調整ビス操作用の開口３５を上から順に備えている。上下位置調整ビス穴３４は、上下位置調整ビス６のビス頭６１を固定するため、面取りがされており、一方、奥行き幅調整ビス操作用の開口３５は、中間枠体５に固定される奥行き幅調整ビス７が抜かれる方向に操作された場合の脱落を防止するために、その内径は、奥行き幅調整ビス頭の径より小さく形成されている。
【００１３】
中間枠体４は、大まかには偏平状の箱体で、後端面と上下端面がそれぞれ開口されている。中間枠体４の上方部には第１窓部２１に上下移動自在に嵌合する係合受部保護板４１ａを有する。係合受部保護板４１ａは引戸が閉められる際、鎌片１０ａの係合受部５ａへの直撃によるねじ等の損傷を防止するもので帯状の突出物からなり、係止装置機構として組み込まれた場合、係合受部５ａの前方に位置すると共に、係合受部保護板４１ａの前面とフロント板２の前面とが略面一となるように設置される。このため、フロント板２の裏面に当接する上方の前方当接端面４１ｂは、係合受部保護板４１ａの前面からフロント板２の板厚分だけが切り込まれて形成される。また、第２窓部の裏側に形成される背板２２ａ、２２ａを介してシャッター板３と一体的に組み込まれる下方の前方当接面４２は、係合受部保護板４１ａの前面からシャッター板３の板厚分と背板２２ａの板厚分の合計分が切り込まれて形成される。また、前方当接面４２には、上下位置調整ビスが挿通するビス穴４３と、奥行き幅調整ビス穴４４とを備える。奥行き幅調整ビス穴４４は、奥行き幅調整ビス７のビス頭７１を固定するため、面取りがされている。一方、中間枠体４の下方の両側板にはシーソー板５を組み込んだ際、第１挿通穴に挿通されるナット兼軸部材８及び第２挿通穴に挿通されるナット兼軸部材９を避けるための切り込み４２１、４２１が形成されている。
【００１４】
シーソー部材５は所定の間隔にある両側板５３、５３を上方の前方で帯状突起の係合受部５ａで連接される構造である。すなわち、係合受部５ａの両側板５３、５３の前方当接端面５７、５７からの突出の程度は、中間枠体４の係合受部保護板４１ａの裏面に係合受部５ａを当接させた場合、前方当接端面５７が中間枠体の前方当接面４２の裏面に当接するような寸法である。また、係合受部５ａの下端縁から垂直下方に延出される前方当接端面５７、５７は第１挿通穴の中心部からその下方にかけて角度αだけ屈曲して前方当接傾斜端面５６、５６を構成する。この前方当接端面５７、５７及び前方当接傾斜端面５６、５６で形成される略Ｖ字状の当接面により、後述するように奥行き幅の調整を行っても、係合受部５ａは揺動運動すると共に、フロント板２に安定して固定される。また、両側板５３、５３には、上下位置調整ビスのナット兼軸部材８が挿通する第１挿通穴５１と、奥行き幅調整ビスのナット兼軸部材９が挿通する第２挿通穴５２とを備える。ナット兼軸部材８、９は共に同じ形状、寸法の円筒部材であり、その中央部には上下位置調整ビス、奥行き幅調整ビスの雄ねじが螺合する雌ねじがそれぞれ形成されている。第１挿通穴５１の内径はナット兼軸部材８の外径よりやや大きく、第２挿通穴５２の内径はナット兼軸部材９の外径より更にやや大きくしている。第２挿通穴５２の内径が小さすぎると、シーソー部材５の揺動運動が規制されて奥行き幅の調整ができなくなる。
【００１５】
次に、上記のように構成された各部材を組付けて本実施の形態例の引戸錠用係止装置を形成する。組付け方法としては、例えば、先ず、フロント板の第２窓部２２とその裏面の背板２２ａの隙間にシャッター板３を上方から落込むように挿入する。この場合、シャッター板３の上方にある突起物３３が隙間の上端２２ｂに当接して留められる。一方、中間枠体４の裏側にシーソー部材５を差し込むことで、シーソー部材５を中間枠体４に組付ける。その際、係合受部５ａが中間枠体の係合受部保護板４１ａの裏面に当接するようにし、また、第１挿通穴５１及び第２挿通穴５２にナット兼軸部材８及びナット兼軸部材９をそれぞれ挿入しておく。ナット兼軸部材９とビス穴４４から挿入された奥行き幅調整ビス７とは螺合にて結合しておく。次に、シャッター板３のビス穴３４、中間枠体のビス穴４３を通して挿入された上下位置調整ビス６と、ナット兼軸部材８とは螺合にて結合される。上下位置調整ビス６の締め付けを増加すると、中間枠体４とシーソー部材５はシャッター板３に引きつけられる一方、シャッター板３はフロント板２の一部である背板２２ａ、２２ａで後方への移動が規制されるため、シャッター板３、中間枠体４及びシーソー部材５はフロント板２に一体的に固定されることになる。この状態で中間枠体の係合受部保護板４１ａはフロント板２の第１窓部２１の第２矩形状穴２１ｂに頭出しされる。最後にケ−ス１を後方から嵌め込み、組付けられた引戸錠用係止装置５０を枠体１４の側面１４ａにビス２３ａで固定して設置が完了する（図３）。図３において、鎌片１０ａの係合受部５ａは最下位置に設置された状態にあり、従って、鎌片１０ａが挿通する窓部の高さ方向の開口は寸法Ｘ１と広く、上方への移動調整も長さＺの範囲で可能となる。
【００１６】
次に、上記のように構成された本実施の形態における引戸錠用係止装置の奥行き幅調整動作について、図３〜図５を参照して説明する。すなわち、図４に示す引戸錠用係止装置は、鎌片が係止する係合受部５ａが最下位置で、奥行き幅が最小であり、上下方向の位置関係については問題ないものの、鎌片１０ａが係合した状態で、鎌片１０ａの内端と係合受部５ａの間に隙間ＹO が発生してガタが生じる状態にある。従って、この奥行き幅調整動作はこのガタを解消するための動作である。すなわち、図３において、奥行き幅調整ビス７をドライバーで締めつけ方向、すなわち、右方向（矢印Ｂ方向）に回転させる。そして、奥行き幅調整ビス７に螺合するナット兼軸部材９は前方へ引き寄せられる。すると、シーソー部材５は上下位置調整ビス６とナット兼軸部材８の螺合によりフロント板２に一体的に固定されているが、シーソー部材５の中間枠体４の裏面への当接は、上下位置調整ビス６の中心部から下方にかけて角度αだけ屈曲する前方当接傾斜端面５６、５６となるため、ナット兼軸部材９は前方へ引き寄せられてシーソー部材５はナット兼軸部材８を中心軸として矢印Ｃの方向へ揺動する。前方当接傾斜端面５６、５６が中間枠体４の裏面へ当接するまで、奥行き幅調整ビス７を締めつけるとフロント板の前面から係合受部の後面までの寸法は最大（Ｙ１）となり、図５に示すように、鎌片１０ａは係合受部５ａに遊びを生じることなく、係合することができる。
【００１７】
次に、本実施の形態における引戸錠用係止装置の上下位置の調整動作について、図３と図６を参照して説明する。すなわち、図３に示すように、鎌片が係止する係合受部が最下位置で、奥行き幅が最小であり、奥行き幅については問題ないものの、係合受部が下方すぎて図では省略する鎌片１０ａが係合できない状態を解消するための動作である。図３において、上下位置調整ビス６をドライバで緩める。すると、フロント板２、シャッター板３、中間枠体４及びシーソー部材５の一体的な固定が緩み、それぞれの部材間に隙間ができる。このため、シャッター板３は第２窓部２２とその裏面の背板２２ａ間で上下移動自在となり、シャッター板３を含めた中間枠体４及びシーソー部材５はフロント板２に対して、一体的に最大寸法Ｚまで上方への調整が可能となる。その結果、図６に示すように、係合受部５ａがＺ分上昇して、図では省略する鎌片の確実な係止が可能となる。なお、本実施の形態例において、シャッター板３など各部材の上方への移動は、中間枠体４の上端部材がケース１の上方内壁にぶつかったところで規制される構造である。
【００１８】
次に、本実施の形態における引戸錠用係止装置の上下位置の調整動作及び奥行き幅調整動作について、図３と図７を参照して説明する。すなわち、図３に示すように、鎌片が係止する係合受部が最下位置で、奥行き幅が最小であり、奥行き幅が狭く、図では省略する鎌片１０ａが係合した状態で、鎌片１０ａの内端と係合受部５ａの間に隙間が発生してガタが生じる状態を解消するための動作であり、且つ係合受部５ａが下方すぎて鎌片１０ａが係合できない状態を共に、解消するための動作である。この動作は前記２つの動作をそれぞれ行えばよく、図３において、奥行き幅調整ビス７をドライバーで締めつけ方向、すなわち、右方向（矢印Ｂ方向）に回転させる。一方、上下位置調整ビス６をドライバで緩めて、シャッター板３をフロイント板２に対して、上方にＺ分移動させればよい。これにより、フロイント板２の第１窓部２１の高さ方向の開口長さＸ２はＸ１より短くなるものの、係止受部５ａが上昇し、且つ奥行き幅がＹ２と広がる。
【００１９】
本実施の形態例の引戸錠用係止装置によれば、スプリング部材を使用しなくともシーソー部材が固定されつつ、揺動が可能であるため、各部材間でのガタを生じることがない。また、シーソー部材などの各構成部材は、二本のビスの操作で上下位置及び奥行き幅の微調整が可能となる。従って、鎌片と係合受部との係止にガタが発生せず、確実な施錠が行える。
【００２０】
【発明の効果】
以上の説明から明らかなように本発明の引戸錠用係止装置によれば、鎌片と係止装置の取付け後、上下方向の位置がずれて鎌片が係止装置に係止できなかった場合、ドライバー工具で上下位置調整ビスを緩め、シャッター板、中間枠体及びシーソー部材をフロイント板に対して一体的に上下移動させ、鎌片が係止装置に正しく係止できる位置で上下位置調整ビスを閉めれば、シャッター板、中間枠体及びシーソー部材はフロント板にしっかりと固定される。一方、鎌片と係止装置の取付け後、鎌片と係止装置の前後の遊びが大きすぎてガタが生じることがあった場合、ドライバー工具で奥行き幅調整ビスを締めつければ、シーソー部材が第１挿通穴に挿通するナット兼軸部材を中心軸として揺動運動するため、係合受部と前記係合受部保護板との間隔が広がりる。従って、鎌片と係止装置の前後の遊びが無くなる位置でビス調整を止めればよい。このように、本発明の引戸錠用係止装置によれば、スプリング部材を使用しなくともシーソー部材が固定されつつ、揺動が可能であるため、各部材間でのガタを生じることがない。また、シーソー部材などの各構成部材は、二本のビスの操作で上下位置及び奥行き幅の微調整が可能となる。従って、鎌片と係合受部との係止にガタが発生せず、確実な施錠が行える。
【図面の簡単な説明】
【図１】本発明の実施の形態における引戸錠用係止装置の斜視図である。
【図２】本発明の実施の形態における引戸錠用係止装置の分解斜視図である。
【図３】鎌片が係止する係合受部が最下位置で、奥行き幅が最小である引戸錠用係止装置の断面図である。
【図４】図３の係止装置に鎌片が係合した状態で、ガタが生じる状態を示す断面図である。
【図５】鎌片が係止する係合受部が最下位置で、奥行き幅を最大としてガタが生じない状態を示す断面図である。
【図６】鎌片が係止する係合受部が最上位置で、奥行き幅が最小である引戸錠用係止装置の断面図である。
【図７】鎌片が係止する係合受部が最上位置で、奥行き幅が最大である引戸錠用係止装置の断面図である。
【符号の説明】
１        ケース
２        フロント板
３        シャッター板
４        中間枠体
５        シーソー部材
５ａ      帯状突起の係合受部
６        上下位置調整ビス
７        奥行き幅調整ビス
８、９    ナット兼軸部材
１０        錠本体
１０ａ      鎌片
１１        鍔状の前面板
１２        ねじ穴
１３        引戸
１３ａ      引戸の側端面
１４        枠体
１４ａ      枠体の側端面
２１        第１窓部
２１ａ      第１矩形状穴
２１ｂ      第２矩形状穴
２２        第２窓部
２２ａ      背板
２３ａ      木ねじ
３２        シャッター板の本体部
３３        突起物
３４        上下位置調整ビス穴
３５        奥行き幅調整ビス操作用の開口
４１ａ      係合受部保護板
４１ｂ、５７      前方当接端面
４２        前方当接面
４３        上下位置調整ビス穴
４４        奥行き幅調整ビス穴
５０        引戸錠用係止装置
５３        側板
５６        前方当接傾斜端
６１        上下位置調整ビス頭
７１        奥行き幅調整ビス頭
４２１      切り込み
【図１】
0004521796.tif 000002
【図２】
0004521796.tif 000003
【図３】
0004521796.tif 000004
【図４】
0004521796.tif 000005
【図５】
0004521796.tif 000006
【図６】
0004521796.tif 000007
【図７】
0004521796.tif 000008